(57)【要約】      （修正有）【課題】物体に取り付けられるＲＦタグにおいて、高い耐水性・耐湿性を有するＲＦタグを提供する。【解決手段】ＲＦタグ１０は、リーダライタとの間で無線通信によって物体に関するデータを通信するタグ本体２０と、物体に取り付けられたときに、物体との間で空間を形成する凹部３１が設けられた筐体３０と、を備え、タグ本体２０は、凹部３１内に充填されたゲル状物質４０によって被覆されている。【選択図】図１
0003193528.tif 000002
【実用新案登録請求の範囲】
【請求項１】
物体に取り付けられるＲＦタグであって、
リーダライタとの間で無線通信によって前記物体に関するデータを通信するタグ本体と、
前記物体に取り付けられたときに、前記物体との間で空間を形成する凹部が設けられた筐体と、を備え、
前記タグ本体は、前記凹部内に充填されたゲル状物質によって被覆されているＲＦタグ。
【請求項２】
前記筐体は、前記物体に対して取り付けられる取付面を備え、
前記取付面から前記凹部の底の外面までの高さが２２ｍｍ以上である、請求項１に記載のＲＦタグ。
【請求項３】
前記タグ本体は、前記凹部の底の内面に固定されており、
前記ゲル状物質は、前記凹部の深さの１０パーセント以上且つ２０パーセント以下の深さまで充填されている、請求項１または２に記載のＲＦタグ。
【請求項４】
前記ゲル状物質は、シリコーンを含む物質である、請求項１から３の何れか１項に記載のＲＦタグ。
【請求項５】
前記筐体は、ポリウレタンから形成される、請求項１から４の何れか１項に記載のＲＦタグ。
【考案の詳細な説明】
【技術分野】
【０００１】
本考案は、物体に取り付けられるＲＦタグに関する。
【背景技術】
【０００２】
従来、トンネルや橋梁などの建築構造物にＩＣ（Integrated Circuit）タグなどのＲＦ（Radio Frequency）タグを取り付け、このＲＦタグとリーダライタとの間で無線通信に
よってデータ（情報）を通信することで、建築構造物の検査履歴などを管理する管理システムが知られている（特許文献１参照）。ＲＦタグは、電子装置であるため、水分と接触すると通信障害等の不具合が生じる虞がある。しかしながら、上述の建築構造物は、一般に、風雨や地下水に晒される環境下にある。そのため、建築構造物に使用されるＲＦタグには、高い耐水性や耐湿性が要求される。
【先行技術文献】
【特許文献】
【０００３】
【特許文献１】特開２００２−３９８１０号公報
【特許文献２】特開２０１３−２０５８８８号公報
【考案の概要】
【考案が解決しようとする課題】
【０００４】
本考案の目的は、高い耐水性・耐湿性を有するＲＦタグを提供することにある。
【課題を解決するための手段】
【０００５】
本考案は、上記課題を解決するために以下の手段を採用した。
すなわち、本考案に係るＲＦタグは、
物体に取り付けられるＲＦタグであって、
リーダライタとの間で無線通信によって前記物体に関するデータを通信するタグ本体と、
前記物体に取り付けられたときに、前記物体との間で空間を形成する凹部が設けられた筐体と、を備え、
前記タグ本体は、前記凹部内に充填されたゲル状物質によって被覆されている。
【０００６】
本考案によれば、ＲＦタグが建築構造物等の物体に取り付けられているときには、当該物体に関するデータを通信するタグ本体は、物体と筐体の凹部との間に形成される空間内に収容される。これにより、電子装置であるタグ本体を、筐体の外部に存在する水分（水や湿気）から保護することが可能になる。更に、タグ本体は、筐体の凹部内に充填されたゲル状物質によって被覆されている。ゲル状物質は密着性が高い物質であるため、仮に、筐体の凹部内に水分が侵入しても、侵入した水分がタグ本体まで到達することが抑制される。このように、本考案によれば、タグ本体が筐体及び凹部内に充填されたゲル状物質によって二重に保護されているため、タグ本体に水分が接触することが効果的に抑制される。ゆえに、本考案によれば、高い耐水性・耐湿性を有するＲＦタグを提供することができる。
【０００７】
また、前記筐体は、前記物体に対して取り付けられる取付面を備え、前記取付面から前記凹部の底の外面までの高さが２２ｍｍ以上であってもよい。
【０００８】
この構成によれば、ＲＦタグが物体に取り付けられているときには、筐体の取付面が取り付けられる物体の面と、筐体の凹部の底の外面との間に２２ｍｍ以上の間隔が確保され
る。したがって、リーダライタの使用者は、リーダライタを握った状態（リーダライタの裏面に指をまわして安定的に保持した状態）で、リーダライタを筐体の凹部の底の外面に近付けて、タグ本体との通信を行うことができる。
【０００９】
また、前記タグ本体は、前記凹部の底の内面に固定されており、前記ゲル状物質は、前記凹部の深さの１０パーセント以上且つ２０パーセント以下の深さまで充填されていてもよい。これにより、タグ本体を被覆しているゲル状物質の剥離等による脱落を抑制しつつ、タグ本体との良好な通信を確保することが可能になる。
【００１０】
また、前記ゲル状物質は、シリコーンを含む物質であってもよい。また、前記筐体は、ポリウレタンから形成されてもよい。何れの材料も、高い耐水性・耐湿性を有すると共に、電波や磁界の透過率が高い。したがって、これらの材料を採用することにより、リーダライタとタグ本体との間の良好な通信を確保しつつ、タグ本体を保護することが可能になる。
【考案の効果】
【００１１】
以上説明したように、本考案によれば、高い耐水性・耐湿性を有するＲＦタグを提供することができる。
【図面の簡単な説明】
【００１２】
【図１】実施例に係るＲＦタグの構成を示す斜視図である。
【図２】実施例に係るＲＦタグの筐体の構成を示す図である。
【図３】実施例に係るＲＦタグの構成を示す断面図である。
【図４】実施例に係るＲＦタグの建築構造物への取り付け時の状態を示す図である。
【図５】実施例に係るＲＦタグとリーダライタとの間でデータ通信が行われるときの状況を示す模式図である。
【考案を実施するための形態】
【００１３】
以下に図面を参照して、この考案を実施するための形態を、実施例に基づいて例示的に詳しく説明する。ただし、この実施例に記載されている構成部品の寸法、材質、形状、その相対配置などは、特に特定的な記載がない限りは、この考案の範囲をそれらのみに限定する趣旨のものではない。
【００１４】
［実施例］
図１から図３を参照して、本考案の実施例に係るＲＦタグについて説明する。図１は、ＲＦタグの構成を示す斜視図である。図２は、ＲＦタグの筐体の構成を示す図であり、図２Ａが筐体の正面図、図２Ｂが筐体の側面図である。図３は、ＲＦタグの構成を示す断面図であって、図１におけるＡＡ断面を示している。
【００１５】
＜ＲＦタグの構成＞
本実施例に係るＲＦタグ１０は、トンネルや橋梁などの建築構造物に取り付けられるＲＦタグであって、リーダライタとの間で無線通信によって当該建築構造物に関するデータ（情報）を通信するものである。図１に示されるように、ＲＦタグ１０は、リーダライタとの間で無線通信によって建築構造物に関するデータを通信するタグ本体２０と、建築構造物に取り付けられたときに、建築構造物との間で空間を形成する凹部３１が設けられた筐体３０と、を備えている。そして、タグ本体２０は、凹部３１内に充填されたゲル状物質から成る被覆部４０によって完全に被覆されている。
【００１６】
タグ本体２０は、リーダライタからの電波または磁界（以下、単に「電波」という）を受信するアンテナと、データを記憶するメモリと、データの通信や記録を制御する制御回
路とを備える、いわゆるＩＣタグである。制御回路は、アンテナが受信した電波によって発生した電力によって、メモリに対する処理やアンテナからのデータ送信を行う。タグ本体２０の制御回路等は、粘着シートの表側の面（粘着面でない面）に形成されている。タグ本体２０は、非常に薄い（厚さ１ｍｍ未満）矩形形状を有しているが、本願の図面においては、説明のために実際よりも厚く図示されている。
【００１７】
筐体３０は、図２Ａに示されるように、正面（上面）から見たときに概ね矩形形状を有する部材である。筐体３０は、建築構造物に対して取り付けられる取付面３２と、取付面３２よりも窪むようにして設けられた凹部３１とを備えている。建築構造物へのＲＦタグ１０の取り付けは、取付面３２に設けられたボルト孔３３に挿通されるボルトによって、筐体３０が建築構造物に対して固定されることによって行われる。なお、本実施例においては２つのボルト孔３３が設けられているが、その数は適宜変更することができる。凹部３１には平坦な底３４が形成されている。タグ本体２０は、底３４の内面３５の概ね中央部分に貼付されることによって固定される。本実施例に係る筐体３０は、ポリウレタン（ポリウレタン樹脂）から形成される部材であり、取付面３２から底３４の外面３６までの高さＨ（図２Ｂ参照）は２２ｍｍ以上に設定されている。また、底３４の厚さＴ（図３参照）は１ｍｍに設定されている。
【００１８】
被覆部４０は、凹部３１内に充填されたゲル状物質から構成されている。本実施例においては、シリコーンを含む物質であるシリコーンゴムがゲル状物質として用いられている。シリコーンゴムは、硬化する前は流動性を有する物質である。ゆえに、タグ本体２０が固定された底３４を概ね水平に設置した状態で凹部３１内に硬化前のシリコーンゴムを流し込むことにより、タグ本体２０の全体を容易かつ確実に被覆することが可能になる。そして、シリコーンゴムの硬化後には、その高い密着性により、被覆部４０とタグ本体２０や凹部３１の表面との間に隙間が生じることが抑制される。ここで、図３を用いて被覆部４０の厚さ、即ち、シリコーンゴムの充填深さＧ（内面３５から被覆部４０の表面までの距離）について説明する。充填深さＧが凹部３１の深さＤの１０パーセント未満であると、被覆部４０が剥離する虞があるために、タグ本体２０への水分の接触や、タグ本体２０の脱落が生じる虞がある。一方、充填深さＧが凹部３１の深さＤの２０パーセントを超えると、電波の透過率が低下するために、リーダライタとタグ本体２０との無線通信に支障が出る虞がある。そこで、本実施例においては、被覆部４０を構成するシリコーンゴムは、凹部３１の深さＤの１０パーセント以上且つ２０パーセント以下の深さまで充填されている。
【００１９】
＜ＲＦタグの取り付け時の状態＞
図４を参照して、本実施例に係るＲＦタグを建築構造物に取り付けたときの状態について説明する。図４は、ＲＦタグ１０が建築構造物Ｂに取り付けられたときの状態を示す模式的断面図である。図４に示されるように、筐体３０の取付面３２は、物体としての建築構造物Ｂに対して、ボルト孔３３に挿通されたボルト５０によって固定されている。このようにしてＲＦタグ１０が取り付けられることにより、凹部３１と建築構造物Ｂとの間に空間Ｓが形成される。ここで、図２に示されるように、取付面３２は、平坦であると共に、凹部３１の開口の全周に亘って形成されている。ゆえに、筐体３０が建築構造物Ｂに対して固定されたときには、取付面３２が建築構造物Ｂに対して面接触するため、凹部３１内の空間Ｓに筐体３０の外部から水分が侵入することが抑制される。仮に、空間Ｓ内に水分が侵入したとしても、タグ本体２０は被覆部４０によって被覆されているため、タグ本体２０に水分が到達することは効果的に抑制される。
【００２０】
＜ＲＦタグのデータ通信時の状況＞
図５を参照して、本実施例に係るＲＦタグのデータ通信時の状況について説明する。図５は、建築構造物Ｂに取り付けられたＲＦタグ１０とリーダライタ８０との間でデータ通
信が行われるときの状況を示す模式図である。リーダライタ８０は、タグ本体２０内のメモリに記憶されているデータの読み取り及びメモリへのデータの書き込みを行うための装置である。リーダライタ８０の使用者がタグ本体２０と通信を行う際には、リーダライタ８０の読み取り部８１を筐体３０の底３４の外面３６に近付けた状態で、読み取り部８１から電波を送信させる。送信された電波が筐体３０と被覆部４０を透過した後にタグ本体２０のアンテナによって受信されると、アンテナに電力が発生する。制御回路は、この電力を利用して必要な処理を実行した後に、データを電波（反射波）に乗せてアンテナから送信する。そして、読み取り部８１が反射波を受信することによって、リーダライタ８０とタグ本体２０との間の非接触なデータ通信が遂行される。
【００２１】
ここで、本実施例においては、筐体３０の取付面３２から底３４の外面３６までの高さＨは２２ｍｍ以上となっている。そのため、リーダライタ８０の使用者が、読み取り部８１を外面３６に近付けて、リーダライタ８０の裏面８２を外面３６に接触させたとしても、裏面８２と建築構造物Ｂの表面Ｃとの間には、２２ｍｍ以上の間隔が確保される。ここで、この間隔は、人間の指の平均的な太さよりも大きい。ゆえに、図５に示されるように、リーダライタ８０の使用者は、リーダライタ８０を握った状態、即ち、リーダライタ８０の裏面８２に指Ｆをまわした状態でリーダライタ８０を外面３６に近付けて、タグ本体２０とのデータ通信を行うことができる。
【００２２】
＜本実施例に係るＲＦタグの優れた点＞
本実施例に係るＲＦタグ１０によれば、タグ本体２０は、建築構造物Ｂと筐体３０の凹部３１との間に形成された空間Ｓ内に収容されていると共に、凹部３１内に充填されたシリコーンゴムから成る被覆部４０によって被覆されている。つまり、タグ本体２０は、筐体３０と被覆部４０とによって二重に保護されているため、水分がタグ本体２０に接触（到達）することが効果的に抑制される。ゆえに、本実施例によれば、風雨や地下水に晒される環境下や多湿な環境下であっても好適に使用することができる、耐水性・耐湿性に優れるＲＦタグを提供することができる。
【００２３】
また、ＲＦタグ１０によれば、取付面３２から凹部３１の底３４の外面３６までの高さＨが２２ｍｍ以上となっている。そのため、リーダライタ８０の使用者は、リーダライタ８０を握った状態（リーダライタ８０の裏面８２に指をまわして、リーダライタ８０を安定的に保持した状態）でリーダライタ８０を外面３６に近付けて、ＲＦタグ１０とのデータ通信を行うことができる。ゆえに、データ通信を行う際に、安定して保持した状態のまま、リーダライタ８０を持ち替える動作等をすることなくデータ通信を行うことができるため、作業性が向上すると共に、リーダライタ８０を落下させる危険性が低下する。
【００２４】
また、ＲＦタグ１０によれば、被覆部４０を構成するシリコーンゴムは、凹部３１の深さの１０パーセント以上且つ２０パーセント以下の深さまで充填されている。これにより、被覆部４０の剥離等による脱落が抑制されると共に、リーダライタ８０とタグ本体２０との間の良好な通信を確保することが可能になる。
【００２５】
また、ＲＦタグ１０によれば、被覆部４０は、シリコーンを含む物質であるシリコーンゴムから構成されている。シリコーンゴムは、硬化前には流動性を有しているため、凹部３１内に硬化前のシリコーンゴムを流し込むことにより、タグ本体２０の全体を容易かつ確実に被覆することが可能になる。また、本実施例に係るＲＦタグ１０によれば、タグ本体２０を製造段階において予め被覆することができる。ゆえに、建築構造物に取り付ける際に、タグ本体２０を保護する作業を別に行う必要がないため、作業性が向上する。
【００２６】
また、ＲＦタグ１０によれば、タグ本体２０と建築構造物との間には空間Ｓが形成される。これにより、建築構造物を伝って浸入する水分がタグ本体２０に接触することが効果
的に抑制される。また、ＲＦタグ１０によれば、筐体３０は、高い耐水性・耐湿性を有すると共に、金属等に比べて電波や磁界を透過させやすい材料であるポリウレタンから形成されている。ゆえに、リーダライタ８０とタグ本体２０との間の良好な通信を確保しつつ、タグ本体２０を保護することが可能になる。
【符号の説明】
【００２７】
１０：ＲＦタグ      ２０：タグ本体      ３０：筐体      ３１：凹部
３２：取付面      ３４：底      ３５：内面      ３６：外面
４０：被覆部      ８０：リーダライタ      Ｂ：建築構造物      Ｆ：指
【図１】
0003193528.tif 000003
【図２】
0003193528.tif 000004
【図３】
0003193528.tif 000005
【図４】
0003193528.tif 000006
【図５】
0003193528.tif 000007